(57)【要約】【課題】公開用ＩＤのキャンセルを可能とし、また、任意の通信相手の通信に用いられるＩＤを無効化すること。【解決手段】通信管理装置１０は、所定の記憶部に登録されている実ＩＤ＿Ａと、実ＩＤ＿Ｂと、連絡用ＩＤ＿Ａと、連絡用ＩＤ＿Ｂを参照して、利用者Ｂ端末２１から受け取った実ＩＤ＿Ｂと連絡用ＩＤ＿Ａとを、連絡用ＩＤ＿Ｂと実ＩＤ＿Ａとに変換し、利用者Ａ端末２０の実ＩＤ＿Ａに連絡用ＩＤ＿Ｂで着信させる。【選択図】図１
2008028847.tif 000002
【特許請求の範囲】
【請求項１】
第１の通信装置の公開用ＩＤ＿Ａを取得した第２の通信装置が、自装置の実ＩＤ＿Ｂおよび前記公開用ＩＤ＿Ａを用いて通信管理装置に対して前記第１の通信装置との通信用の連絡用ＩＤの発行を要求すると、
前記通信管理装置が、前記第２の通信装置から受け取った前記公開用ＩＤ＿Ａに基づいて前記第１の通信装置の実ＩＤ＿Ａが前記公開用ＩＤ＿Ａと対応付けられて登録されている所定の記憶部を検索して、前記公開用ＩＤ＿Ａと対応付けられて登録されている前記実ＩＤ＿Ａを取得し、その取得された前記実ＩＤ＿Ａと、前記第２の通信装置から受け取った実ＩＤ＿Ｂと、採番された連絡用ＩＤとをそれぞれ対応付けて所定の記憶部に登録し、
さらに、前記通信管理装置が、採番された前記連絡用ＩＤを前記第１の通信装置および前記第２の通信装置に対して通知し、
前記第２の通信装置が、前記通信管理装置に対して前記第１の通信装置との通信開始の要求を前記実ＩＤ＿Ｂから前記通信管理装置から受け取った前記連絡用ＩＤに発信することで行うと、
前記通信管理装置が、前記所定の記憶部に登録されている前記実ＩＤ＿Ａと、前記実ＩＤ＿Ｂと、前記連絡用ＩＤを参照して、前記第２の通信装置から受け取った前記実ＩＤ＿Ｂと前記連絡用ＩＤとを、前記連絡用ＩＤと前記実ＩＤ＿Ａとに変換し、前記第１の通信装置の前記実ＩＤ＿Ａに前記連絡用ＩＤで着信させることを特徴とする通信システム。
【請求項２】
前記第１の通信装置が、前記通信管理装置に対して前記第２の通信装置との通信開始の要求を前記実ＩＤ＿Ａから前記通信管理装置から受け取った前記連絡用ＩＤに発信することで行うと、
前記通信管理装置が、前記所定の記憶部に登録されている前記実ＩＤ＿Ａと、前記実ＩＤ＿Ｂと、前記連絡用ＩＤを参照して、前記第１の通信装置から受け取った前記実ＩＤ＿Ａと前記連絡用ＩＤとを、前記連絡用ＩＤと前記実ＩＤ＿Ｂとに変換し、前記第２の通信装置の前記実ＩＤ＿Ｂに前記連絡用ＩＤで着信させることを特徴とする請求項１記載の通信システム。
【請求項３】
第１の通信装置の公開用ＩＤ＿Ａを取得した第２の通信装置が、自装置の実ＩＤ＿Ｂおよび前記公開用ＩＤ＿Ａを用いて通信管理装置に対して前記第１の通信装置との通信用の連絡用ＩＤの発行を要求すると、
前記通信管理装置が、前記第２の通信装置から受け取った前記公開用ＩＤ＿Ａに基づいて前記第１の通信装置の実ＩＤ＿Ａが前記公開用ＩＤ＿Ａと対応付けられて登録されている所定の記憶部を検索して、前記公開用ＩＤ＿Ａと対応付けられて登録されている前記実ＩＤ＿Ａを取得し、その取得された前記実ＩＤ＿Ａと、前記第２の通信装置から受け取った実ＩＤ＿Ｂと、採番された連絡用ＩＤ＿Ａと、採番された連絡用ＩＤ＿Ｂとをそれぞれ対応付けて所定の記憶部に登録し、
さらに、前記通信管理装置が、採番された前記連絡用ＩＤ＿Ｂを前記第１の通信装置に対して通知し、採番された前記連絡用ＩＤ＿Ａを前記第２の通信装置に対して通知し、
前記第２の通信装置が、前記通信管理装置に対して前記第１の通信装置との通信開始の要求を前記実ＩＤ＿Ｂから前記通信管理装置から受け取った前記連絡用ＩＤ＿Ａに発信することで行うと、
前記通信管理装置が、前記所定の記憶部に登録されている前記実ＩＤ＿Ａと、前記実ＩＤ＿Ｂと、前記連絡用ＩＤ＿Ａと、前記連絡用ＩＤ＿Ｂを参照して、前記第２の通信装置から受け取った前記実ＩＤ＿Ｂと前記連絡用ＩＤ＿Ａとを、前記連絡用ＩＤ＿Ｂと前記実ＩＤ＿Ａとに変換し、前記第１の通信装置の前記実ＩＤ＿Ａに前記連絡用ＩＤ＿Ｂで着信させることを特徴とする通信システム。
【請求項４】
前記第１の通信装置が、前記通信管理装置に対して前記第２の通信装置との通信開始の要求を前記実ＩＤ＿Ａから前記通信管理装置から受け取った前記連絡用ＩＤ＿Ｂに発信することで行うと、
前記通信管理装置が、前記所定の記憶部に登録されている前記実ＩＤ＿Ａと、前記実ＩＤ＿Ｂと、前記連絡用ＩＤ＿Ａと、前記連絡用ＩＤ＿Ｂを参照して、前記第１の通信装置から受け取った前記実ＩＤ＿Ａと前記連絡用ＩＤ＿Ｂとを、前記連絡用ＩＤ＿Ａと前記実ＩＤ＿Ｂとに変換し、前記第２の通信装置の前記実ＩＤ＿Ｂに前記連絡用ＩＤ＿Ａで着信させることを特徴とする請求項３記載の通信システム。
【請求項５】
前記通信管理装置が、採番された前記連絡用ＩＤ＿Ｂを前記第２の通信装置に対して通知し、採番された前記連絡用ＩＤ＿Ａを前記第１の通信装置に対して通知することを特徴とする請求項３または４記載の通信システム。
【請求項６】
第１の通信装置の公開用ＩＤ＿Ａを取得した第２の通信装置が、自装置の実ＩＤ＿Ｂおよび前記公開用ＩＤ＿Ａを用いて通信管理装置に対して前記第１の通信装置との通信用の連絡用ＩＤの発行を要求すると、
前記通信管理装置が、前記第２の通信装置から受け取った前記公開用ＩＤ＿Ａに基づいて前記第１の通信装置の実ＩＤ＿Ａが前記公開用ＩＤ＿Ａと対応付けられて登録されている所定の記憶部を検索して、前記公開用ＩＤ＿Ａと対応付けられて登録されている前記実ＩＤ＿Ａを取得し、その取得された前記実ＩＤ＿Ａと、前記第２の通信装置から受け取った実ＩＤ＿Ｂと、採番された連絡用ＩＤとをそれぞれ対応付けて所定の記憶部に登録し、
さらに、前記通信管理装置が、採番された前記連絡用ＩＤを前記第２の通信装置に対して通知し、
前記第２の通信装置が、前記通信管理装置に対して前記第１の通信装置との通信開始の要求を前記実ＩＤ＿Ｂから前記通信管理装置から受け取った前記連絡用ＩＤに発信することで行うと、
前記通信管理装置が、前記所定の記憶部に登録されている前記実ＩＤ＿Ａと、前記実ＩＤ＿Ｂと、前記連絡用ＩＤを参照して、前記第２の通信装置から受け取った前記実ＩＤ＿Ｂと前記連絡用ＩＤとを、前記連絡用ＩＤと前記実ＩＤ＿Ａとに変換し、前記第１の通信装置の前記実ＩＤ＿Ａに前記連絡用ＩＤで着信させることを特徴とする通信システム。
【請求項７】
前記第１の通信装置が、前記通信管理装置に対して前記第２の通信装置との通信開始の要求を前記実ＩＤ＿Ａから前記第１の通信装置からの着信により取得した前記連絡用ＩＤに発信することで行うと、
前記通信管理装置が、前記所定の記憶部に登録されている前記実ＩＤ＿Ａと、前記実ＩＤ＿Ｂと、前記連絡用ＩＤを参照して、前記第１の通信装置から受け取った前記実ＩＤ＿Ａと前記連絡用ＩＤとを、前記連絡用ＩＤと前記実ＩＤ＿Ｂとに変換し、前記第２の通信装置の前記実ＩＤ＿Ｂに前記連絡用ＩＤで着信させることを特徴とする請求項６記載の通信システム。
【請求項８】
第１の通信装置の公開用ＩＤ＿Ａを取得した第２の通信装置が、自装置の実ＩＤ＿Ｂおよび前記公開用ＩＤ＿Ａを用いて通信管理装置に対して前記第１の通信装置との通信用の連絡用ＩＤの発行を要求すると、
前記通信管理装置が、前記第２の通信装置から受け取った前記公開用ＩＤ＿Ａに基づいて前記第１の通信装置の実ＩＤ＿Ａが前記公開用ＩＤ＿Ａと対応付けられて登録されている所定の記憶部を検索して、前記公開用ＩＤ＿Ａと対応付けられて登録されている前記実ＩＤ＿Ａを取得し、その取得された前記実ＩＤ＿Ａと、前記第２の通信装置から受け取った実ＩＤ＿Ｂと、採番された連絡用ＩＤ＿Ａと、採番された連絡用ＩＤ＿Ｂとをそれぞれ対応付けて所定の記憶部に登録し、
さらに、前記通信管理装置が、採番された前記連絡用ＩＤ＿Ａを前記第２の通信装置に対して通知し、
前記第２の通信装置が、前記通信管理装置に対して前記第１の通信装置との通信開始の要求を前記実ＩＤ＿Ｂから前記通信管理装置から受け取った前記連絡用ＩＤ＿Ａに発信することで行うと、
前記通信管理装置が、前記所定の記憶部に登録されている前記実ＩＤ＿Ａと、前記実ＩＤ＿Ｂと、前記連絡用ＩＤ＿Ａと、前記連絡用ＩＤ＿Ｂを参照して、前記第２の通信装置から受け取った前記実ＩＤ＿Ｂと前記連絡用ＩＤ＿Ａとを、前記連絡用ＩＤ＿Ｂと前記実ＩＤ＿Ａとに変換し、前記第１の通信装置の前記実ＩＤ＿Ａに前記連絡用ＩＤ＿Ｂで着信させることを特徴とする通信システム。
【請求項９】
前記第１の通信装置が、前記通信管理装置に対して前記第２の通信装置との通信開始の要求を前記実ＩＤ＿Ａから前記第１の通信装置からの着信により取得した前記連絡用ＩＤ＿Ｂに発信することで行うと、
前記通信管理装置が、前記所定の記憶部に登録されている前記実ＩＤ＿Ａと、前記実ＩＤ＿Ｂと、前記連絡用ＩＤ＿Ａと、前記連絡用ＩＤ＿Ｂを参照して、前記第１の通信装置から受け取った前記実ＩＤ＿Ａと前記連絡用ＩＤ＿Ｂとを、前記連絡用ＩＤ＿Ａと前記実ＩＤ＿Ｂとに変換し、前記第２の通信装置の前記実ＩＤ＿Ｂに前記連絡用ＩＤ＿Ａで着信させることを特徴とする請求項８記載の通信システム。
【請求項１０】
前記通信管理装置が、採番された前記連絡用ＩＤ＿Ｂを前記第２の通信装置に対して通知することを特徴とする請求項８または９記載の通信システム。
【請求項１１】
第１の通信装置の公開用ＩＤ＿Ａを取得した第２の通信装置が、自装置の実ＩＤ＿Ｂおよび前記公開用ＩＤ＿Ａを用いて通信管理装置に対して前記第１の通信装置との通信用の連絡用ＩＤの発行を要求すると、
前記通信管理装置が、前記第２の通信装置から受け取った前記公開用ＩＤ＿Ａに基づいて前記第１の通信装置の実ＩＤ＿Ａが前記公開用ＩＤ＿Ａと対応付けられて登録されている所定の記憶部を検索して、前記公開用ＩＤ＿Ａと対応付けられて登録されている前記実ＩＤ＿Ａを取得し、その取得された前記実ＩＤ＿Ａと、前記第２の通信装置から受け取った実ＩＤ＿Ｂと、採番された連絡用ＩＤとをそれぞれ対応付けて所定の記憶部に登録し、
さらに、前記通信管理装置が、採番された前記連絡用ＩＤを前記第１の通信装置に対して通知し、
前記第１の通信装置が、前記通信管理装置に対して前記第２の通信装置との通信開始の要求を前記実ＩＤ＿Ａから前記通信管理装置から受け取った前記連絡用ＩＤに発信することで行うと、
前記通信管理装置が、前記所定の記憶部に登録されている前記実ＩＤ＿Ａと、前記実ＩＤ＿Ｂと、前記連絡用ＩＤを参照して、前記第１の通信装置から受け取った前記実ＩＤ＿Ａと前記連絡用ＩＤとを、前記連絡用ＩＤと前記実ＩＤ＿Ｂとに変換し、前記第２の通信装置の前記実ＩＤ＿Ｂに前記連絡用ＩＤで着信させることを特徴とする通信システム。
【請求項１２】
前記第２の通信装置が、前記通信管理装置に対して前記第１の通信装置との通信開始の要求を前記実ＩＤ＿Ｂから前記第２の通信装置からの着信により取得した前記連絡用ＩＤに発信することで行うと、
前記通信管理装置が、前記所定の記憶部に登録されている前記実ＩＤ＿Ａと、前記実ＩＤ＿Ｂと、前記連絡用ＩＤを参照して、前記第２の通信装置から受け取った前記実ＩＤ＿Ｂと前記連絡用ＩＤとを、前記連絡用ＩＤと前記実ＩＤ＿Ａとに変換し、前記第１の通信装置の前記実ＩＤ＿Ａに前記連絡用ＩＤで着信させることを特徴とする請求項１１記載の通信システム。
【請求項１３】
第１の通信装置の公開用ＩＤ＿Ａを取得した第２の通信装置が、自装置の実ＩＤ＿Ｂおよび前記公開用ＩＤ＿Ａを用いて通信管理装置に対して前記第１の通信装置との通信用の連絡用ＩＤの発行を要求すると、
前記通信管理装置が、前記第２の通信装置から受け取った前記公開用ＩＤ＿Ａに基づいて前記第１の通信装置の実ＩＤ＿Ａが前記公開用ＩＤ＿Ａと対応付けられて登録されている所定の記憶部を検索して、前記公開用ＩＤ＿Ａと対応付けられて登録されている前記実ＩＤ＿Ａを取得し、その取得された前記実ＩＤ＿Ａと、前記第２の通信装置から受け取った実ＩＤ＿Ｂと、採番された連絡用ＩＤ＿Ａと、採番された連絡用ＩＤ＿Ｂとをそれぞれ対応付けて所定の記憶部に登録し、
さらに、前記通信管理装置が、採番された前記連絡用ＩＤ＿Ｂを前記第１の通信装置に対して通知し、
前記第１の通信装置が、前記通信管理装置に対して前記第２の通信装置との通信開始の要求を前記実ＩＤ＿Ａから前記通信管理装置から受け取った前記連絡用ＩＤ＿Ｂに発信することで行うと、
前記通信管理装置が、前記所定の記憶部に登録されている前記実ＩＤ＿Ａと、前記実ＩＤ＿Ｂと、前記連絡用ＩＤ＿Ａと、前記連絡用ＩＤ＿Ｂを参照して、前記第１の通信装置から受け取った前記実ＩＤ＿Ａと前記連絡用ＩＤ＿Ｂとを、前記連絡用ＩＤ＿Ａと前記実ＩＤ＿Ｂとに変換し、前記第２の通信装置の前記実ＩＤ＿Ｂに前記連絡用ＩＤ＿Ａで着信させることを特徴とする通信システム。
【請求項１４】
前記第２の通信装置が、前記通信管理装置に対して前記第１の通信装置との通信開始の要求を前記実ＩＤ＿Ｂから前記第２の通信装置からの着信により取得した前記連絡用ＩＤ＿Ａに発信することで行うと、
前記通信管理装置が、前記所定の記憶部に登録されている前記実ＩＤ＿Ｂと、前記実ＩＤ＿Ａと、前記連絡用ＩＤ＿Ｂと、前記連絡用ＩＤ＿Ａを参照して、前記第２の通信装置から受け取った前記実ＩＤ＿Ｂと前記連絡用ＩＤ＿Ａとを、前記連絡用ＩＤ＿Ｂと前記実ＩＤ＿Ａとに変換し、前記第１の通信装置の前記実ＩＤ＿Ａに前記連絡用ＩＤ＿Ｂで着信させることを特徴とする請求項１３記載の通信システム。
【請求項１５】
前記通信管理装置が、採番された前記連絡用ＩＤ＿Ａを前記第１の通信装置に対して通知することを特徴とする請求項１３または１４記載の通信システム。
【請求項１６】
請求項１から１５のいずれか１項に記載の通信システムに付加されることを特徴とするネットワーク。
【請求項１７】
請求項１から１５のいずれか１項に記載の通信システムに付加されることを特徴とするサーバ。
【請求項１８】
請求項１から１７のいずれか１項に記載の通信システムの一部を構成することを特徴とする通信装置。
【請求項１９】
請求項１から１７のいずれか１項に記載の通信システムにおける通信を実現させることを特徴とする通信方法。
【請求項２０】
コンピュータに請求項１６から１９のいずれか１項に記載の機能を実現させることを特徴とするプログラム。
【発明の詳細な説明】
【技術分野】
【０００１】
本発明は、２者間で連絡用ＩＤを用いて、個人情報を隠蔽した通信を実現する技術に関する。
【背景技術】
【０００２】
従来、２者間での通信を行うためには両者が互いに相手の個人情報（例えば、氏名、電話番号、ファクシミリ番号、電子メールアドレス、ＩＭ（インスタント・メッセージ）におけるＳＩＰ(Session Initiation Protocol)のＵＲＩ、住所、などである。以下、「実ＩＤ」とする。）を知る必要があった。
【０００３】
従来のシステムの一例が、特許文献１に記載されている。この従来のシステムは、通信管理装置１０と、利用者Ａ端末と、利用者Ｂ端末と、移動体通信網（サービス提供業者装置）から構成されている。
【０００４】
このような構成を有する従来のシステムも連絡用ＩＤ（通信時に用いる実ＩＤではない一時的な情報）を利用する。すなわち、従来のシステムでは利用者１人1人に別々の連絡用ＩＤを割り当て、その連絡用ＩＤを不特定多数の通信相手に対して利用することができた。
【特許文献１】特開２００４−３１２３８５号公報
【発明の開示】
【発明が解決しようとする課題】
【０００５】
しかしながら、上述した従来例においては次の課題があった。
【０００６】
第１の課題は公開用ＩＤの公開を中止したときには公開用ＩＤを用いて通信することができなくなるので、その他の連絡用ＩＤなどを用いて通信を継続して行うことができなかった。
【０００７】
第２の課題は通信相手の誰かが悪質な目的の利用をした場合、その者との通信のみを拒絶し、他の者との通信は許可して継続したい場合があってもそのような要望に応えることは困難であった。
【０００８】
本発明は、以上説明した事情に鑑みてなされたものであり、その目的は、公開用ＩＤのキャンセルを可能とし、また、任意の通信相手の通信に用いられる連絡用ＩＤを無効化することにある。
【課題を解決するための手段】
【０００９】
上記課題を解決するために、本発明は、第１の通信装置の公開用ＩＤ＿Ａを取得した第２の通信装置が、自装置の実ＩＤ＿Ｂおよび前記公開用ＩＤ＿Ａを用いて通信管理装置に対して前記第１の通信装置との通信用の連絡用ＩＤの発行を要求すると、
前記通信管理装置が、前記第２の通信装置から受け取った前記公開用ＩＤ＿Ａに基づいて前記第１の通信装置の実ＩＤ＿Ａが前記公開用ＩＤ＿Ａと対応付けられて登録されている所定の記憶部を検索して、前記公開用ＩＤ＿Ａと対応付けられて登録されている前記実ＩＤ＿Ａを取得し、その取得された前記実ＩＤ＿Ａと、前記第２の通信装置から受け取った実ＩＤ＿Ｂと、採番された連絡用ＩＤとをそれぞれ対応付けて所定の記憶部に登録し、
さらに、前記通信管理装置が、採番された前記連絡用ＩＤを前記第１の通信装置および前記第２の通信装置に対して通知し、
前記第２の通信装置が、前記通信管理装置に対して前記第１の通信装置との通信開始の要求を前記実ＩＤ＿Ｂから前記通信管理装置から受け取った前記連絡用ＩＤに発信することで行うと、
前記通信管理装置が、前記所定の記憶部に登録されている前記実ＩＤ＿Ａと、前記実ＩＤ＿Ｂと、前記連絡用ＩＤを参照して、前記第２の通信装置から受け取った前記実ＩＤ＿Ｂと前記連絡用ＩＤとを、前記連絡用ＩＤと前記実ＩＤ＿Ａとに変換し、前記第１の通信装置の前記実ＩＤ＿Ａに前記連絡用ＩＤで着信させる通信システムを提供する。
【００１０】
また、本発明は、第１の通信装置の公開用ＩＤ＿Ａを取得した第２の通信装置が、自装置の実ＩＤ＿Ｂおよび前記公開用ＩＤ＿Ａを用いて通信管理装置に対して前記第１の通信装置との通信用の連絡用ＩＤの発行を要求すると、
前記通信管理装置が、前記第２の通信装置から受け取った前記公開用ＩＤ＿Ａに基づいて前記第１の通信装置の実ＩＤ＿Ａが前記公開用ＩＤ＿Ａと対応付けられて登録されている所定の記憶部を検索して、前記公開用ＩＤ＿Ａと対応付けられて登録されている前記実ＩＤ＿Ａを取得し、その取得された前記実ＩＤ＿Ａと、前記第２の通信装置から受け取った実ＩＤ＿Ｂと、採番された連絡用ＩＤ＿Ａと、採番された連絡用ＩＤ＿Ｂとをそれぞれ対応付けて所定の記憶部に登録し、
さらに、前記通信管理装置が、採番された前記連絡用ＩＤ＿Ｂを前記第１の通信装置に対して通知し、採番された前記連絡用ＩＤ＿Ａを前記第２の通信装置に対して通知し、
前記第２の通信装置が、前記通信管理装置に対して前記第１の通信装置との通信開始の要求を前記実ＩＤ＿Ｂから前記通信管理装置から受け取った前記連絡用ＩＤ＿Ａに発信することで行うと、
前記通信管理装置が、前記所定の記憶部に登録されている前記実ＩＤ＿Ａと、前記実ＩＤ＿Ｂと、前記連絡用ＩＤ＿Ａと、前記連絡用ＩＤ＿Ｂを参照して、前記第２の通信装置から受け取った前記実ＩＤ＿Ｂと前記連絡用ＩＤ＿Ａとを、前記連絡用ＩＤ＿Ｂと前記実ＩＤ＿Ａとに変換し、前記第１の通信装置の前記実ＩＤ＿Ａに前記連絡用ＩＤ＿Ｂで着信させる通信システムを提供する。
【００１１】
また、本発明は、第１の通信装置の公開用ＩＤ＿Ａを取得した第２の通信装置が、自装置の実ＩＤ＿Ｂおよび前記公開用ＩＤ＿Ａを用いて通信管理装置に対して前記第１の通信装置との通信用の連絡用ＩＤの発行を要求すると、
前記通信管理装置が、前記第２の通信装置から受け取った前記公開用ＩＤ＿Ａに基づいて前記第１の通信装置の実ＩＤ＿Ａが前記公開用ＩＤ＿Ａと対応付けられて登録されている所定の記憶部を検索して、前記公開用ＩＤ＿Ａと対応付けられて登録されている前記実ＩＤ＿Ａを取得し、その取得された前記実ＩＤ＿Ａと、前記第２の通信装置から受け取った実ＩＤ＿Ｂと、採番された連絡用ＩＤとをそれぞれ対応付けて所定の記憶部に登録し、
さらに、前記通信管理装置が、採番された前記連絡用ＩＤを前記第２の通信装置に対して通知し、
前記第２の通信装置が、前記通信管理装置に対して前記第１の通信装置との通信開始の要求を前記実ＩＤ＿Ｂから前記通信管理装置から受け取った前記連絡用ＩＤに発信することで行うと、
前記通信管理装置が、前記所定の記憶部に登録されている前記実ＩＤ＿Ａと、前記実ＩＤ＿Ｂと、前記連絡用ＩＤを参照して、前記第２の通信装置から受け取った前記実ＩＤ＿Ｂと前記連絡用ＩＤとを、前記連絡用ＩＤと前記実ＩＤ＿Ａとに変換し、前記第１の通信装置の前記実ＩＤ＿Ａに前記連絡用ＩＤで着信させる通信システムを提供する。
【００１２】
また、本発明は、第１の通信装置の公開用ＩＤ＿Ａを取得した第２の通信装置が、自装置の実ＩＤ＿Ｂおよび前記公開用ＩＤ＿Ａを用いて通信管理装置に対して前記第１の通信装置との通信用の連絡用ＩＤの発行を要求すると、
前記通信管理装置が、前記第２の通信装置から受け取った前記公開用ＩＤ＿Ａに基づいて前記第１の通信装置の実ＩＤ＿Ａが前記公開用ＩＤ＿Ａと対応付けられて登録されている所定の記憶部を検索して、前記公開用ＩＤ＿Ａと対応付けられて登録されている前記実ＩＤ＿Ａを取得し、その取得された前記実ＩＤ＿Ａと、前記第２の通信装置から受け取った実ＩＤ＿Ｂと、採番された連絡用ＩＤ＿Ａと、採番された連絡用ＩＤ＿Ｂとをそれぞれ対応付けて所定の記憶部に登録し、
さらに、前記通信管理装置が、採番された前記連絡用ＩＤ＿Ａを前記第２の通信装置に対して通知し、
前記第２の通信装置が、前記通信管理装置に対して前記第１の通信装置との通信開始の要求を前記実ＩＤ＿Ｂから前記通信管理装置から受け取った前記連絡用ＩＤ＿Ａに発信することで行うと、
前記通信管理装置が、前記所定の記憶部に登録されている前記実ＩＤ＿Ａと、前記実ＩＤ＿Ｂと、前記連絡用ＩＤ＿Ａと、前記連絡用ＩＤ＿Ｂを参照して、前記第２の通信装置から受け取った前記実ＩＤ＿Ｂと前記連絡用ＩＤ＿Ａとを、前記連絡用ＩＤ＿Ｂと前記実ＩＤ＿Ａとに変換し、前記第１の通信装置の前記実ＩＤ＿Ａに前記連絡用ＩＤ＿Ｂで着信させる通信システムを提供する。
【００１３】
また、本発明は、第１の通信装置の公開用ＩＤ＿Ａを取得した第２の通信装置が、自装置の実ＩＤ＿Ｂおよび前記公開用ＩＤ＿Ａを用いて通信管理装置に対して前記第１の通信装置との通信用の連絡用ＩＤの発行を要求すると、
前記通信管理装置が、前記第２の通信装置から受け取った前記公開用ＩＤ＿Ａに基づいて前記第１の通信装置の実ＩＤ＿Ａが前記公開用ＩＤ＿Ａと対応付けられて登録されている所定の記憶部を検索して、前記公開用ＩＤ＿Ａと対応付けられて登録されている前記実ＩＤ＿Ａを取得し、その取得された前記実ＩＤ＿Ａと、前記第２の通信装置から受け取った実ＩＤ＿Ｂと、採番された連絡用ＩＤとをそれぞれ対応付けて所定の記憶部に登録し、
さらに、前記通信管理装置が、採番された前記連絡用ＩＤを前記第１の通信装置に対して通知し、
前記第１の通信装置が、前記通信管理装置に対して前記第２の通信装置との通信開始の要求を前記実ＩＤ＿Ａから前記通信管理装置から受け取った前記連絡用ＩＤに発信することで行うと、
前記通信管理装置が、前記所定の記憶部に登録されている前記実ＩＤ＿Ａと、前記実ＩＤ＿Ｂと、前記連絡用ＩＤを参照して、前記第１の通信装置から受け取った前記実ＩＤ＿Ａと前記連絡用ＩＤとを、前記連絡用ＩＤと前記実ＩＤ＿Ｂとに変換し、前記第２の通信装置の前記実ＩＤ＿Ｂに前記連絡用ＩＤで着信させる通信システムを提供する。
【００１４】
また、本発明は、第１の通信装置の公開用ＩＤ＿Ａを取得した第２の通信装置が、自装置の実ＩＤ＿Ｂおよび前記公開用ＩＤ＿Ａを用いて通信管理装置に対して前記第１の通信装置との通信用の連絡用ＩＤの発行を要求すると、
前記通信管理装置が、前記第２の通信装置から受け取った前記公開用ＩＤ＿Ａに基づいて前記第１の通信装置の実ＩＤ＿Ａが前記公開用ＩＤ＿Ａと対応付けられて登録されている所定の記憶部を検索して、前記公開用ＩＤ＿Ａと対応付けられて登録されている前記実ＩＤ＿Ａを取得し、その取得された前記実ＩＤ＿Ａと、前記第２の通信装置から受け取った実ＩＤ＿Ｂと、採番された連絡用ＩＤ＿Ａと、採番された連絡用ＩＤ＿Ｂとをそれぞれ対応付けて所定の記憶部に登録し、
さらに、前記通信管理装置が、採番された前記連絡用ＩＤ＿Ｂを前記第１の通信装置に対して通知し、
前記第１の通信装置が、前記通信管理装置に対して前記第２の通信装置との通信開始の要求を前記実ＩＤ＿Ａから前記通信管理装置から受け取った前記連絡用ＩＤ＿Ｂに発信することで行うと、
前記通信管理装置が、前記所定の記憶部に登録されている前記実ＩＤ＿Ａと、前記実ＩＤ＿Ｂと、前記連絡用ＩＤ＿Ａと、前記連絡用ＩＤ＿Ｂを参照して、前記第１の通信装置から受け取った前記実ＩＤ＿Ａと前記連絡用ＩＤ＿Ｂとを、前記連絡用ＩＤ＿Ａと前記実ＩＤ＿Ｂとに変換し、前記第２の通信装置の前記実ＩＤ＿Ｂに前記連絡用ＩＤ＿Ａで着信させる通信システムを提供する。
【００１５】
また、本発明は、上記の通信システムに付加されるネットワーク、サーバ、上記の通信システムの一部を構成する通信装置、上記の通信システムにおける通信を実現させる通信方法、所定の情報処理装置の機能を実現させるプログラムを提供する。
【発明の効果】
【００１６】
本発明によれば、公開用ＩＤのキャンセルを可能とし、また、任意の通信相手の通信に用いられるＩＤを無効化することができる。
【発明を実施するための最良の形態】
【００１７】
以下、本発明の第１の実施の形態について図面を参照して詳細に説明する。
【００１８】
図１を参照すると、本実施の形態における通信システムは、通信管理装置１０と、利用者Ａ端末２０と、利用者Ｂ端末２１から構成されている。これらの通信管理装置１０と利用者Ａ端末２０、利用者Ｂ端末２１はプログラム制御により動作し、インターネットや移動体通信網等のネットワークを介して相互に接続されている。
【００１９】
通信管理装置１０はパーソナルコンピュータ等の情報処理装置であり、利用者の実ＩＤをあらかじめ利用者毎に登録し、他の利用者の実ＩＤを他の利用者１人毎に連絡用ＩＤを１対１の関係で割り当て登録し、通信管理を行う機能を有する。また、利用者の実ＩＤは、利用者毎に限らず、同一の利用者が複数の実ＩＤを登録することであってもよい。なお、連絡用ＩＤを共有することであってもよい。
【００２０】
利用者Ａ端末２０、利用者Ｂ端末２１はパーソナルコンピュータや携帯電話、ＰＤＡ等の情報処理装置である。
【００２１】
次に、図２を参照して本実施の形態の動作について詳細に説明する。本実施の形態は、通信管理装置１０自身がメッセージの転送機能を持つ一番シンプルな構成の例である。例えば、インターネットなどでチャットを行っている場合が相当する。
【００２２】
利用者Ａ、Ｂは、それぞれその利用者が特定可能な実ＩＤ＿Ａ、実ＩＤ＿Ｂを持っているとする。実ＩＤを用いると、利用者に着信させることができる。この際、実ＩＤとしては例えば、Ｙａｈｏｏ（登録商標）メッセンジャーのＩＤが用いられてもよい。
【００２３】
まず、利用者Ａが使用する利用者Ａ端末２０は、通信管理装置１０にアクセスし、利用者Ａの実ＩＤ＿Ａを用いて、登録および公開用ＩＤ＿Ａの発行を要求する（ステップＳ０１−１）。
【００２４】
この公開用ＩＤ＿Ａは、例えば、オークションサイトで一般に公開されるものである。
【００２５】
次に、通信管理装置１０は、公開用ＩＤ＿Ａを採番し、実ＩＤ＿Ａと対応付けて、例えば、図３に示すような利用者管理テーブルに記憶する（ステップＳ０２−１）。
【００２６】
公開用ＩＤ＿Ａと実ＩＤ＿Ａの関係は通信管理装置１０が保持するが一般には公開されない。このため公開用ＩＤ＿Ａから実ＩＤ＿Ａを知ることはできないので、公開用ＩＤを用いて利用者Ａにはアクセスできない。
【００２７】
そして、通信管理装置１０は、公開用ＩＤ＿Ａを利用者Ａ端末２０に対して通知する（ステップＳ０３−１）。
【００２８】
利用者Ａ端末２０は、公開用ＩＤ＿Ａを、例えば、オークションサイトなどで一般に公開する（ステップＳ０４−１）。
【００２９】
なお、公開用ＩＤ＿Ａは利用者Ｂが何らかの手法により取得できればよく、Ｗｅｂ公開の他、１対１での連絡や、郵送による通知などすべてを含む。また、通信管理装置１０への利用者Ａの実ＩＤ＿Ａと公開用ＩＤ＿Ａの対応付けられた登録は、利用者Ｂからの通信開始要求の前に何らかのタイミングでなされていればよく、その登録手法も問わない。
【００３０】
次に、利用者Ｂが利用者Ａと通信を開始したい場合、まず、利用者Ｂが使用する利用者Ｂ端末２１は、通信管理装置１０にアクセスして、実ＩＤ＿Ｂと、上記のステップＳ０４−１における利用者Ａの公開により取得した公開用ＩＤ＿Ａを通信管理装置１０に通知し、通信管理装置１０に対して連絡用ＩＤの発行を要求する（ステップＳ０５−１）。
【００３１】
通信管理装置１０は、実ＩＤ＿Ｂに対応する連絡用ＩＤ＿Ｂと、公開用ＩＤ＿Ａと対応付けられた実ＩＤ＿Ａに対応する連絡用ＩＤ＿Ａを採番し、例えば、図４に示すような連絡用ＩＤ管理テーブルに記録する（ステップＳ０６−１）。つまり、実ＩＤ＿Ａ、連絡用ＩＤ＿Ａ、実ＩＤ＿Ｂ、連絡用ＩＤ＿Ｂ、公開用ＩＤ＿Ａ、公開用ＩＤ＿Ｂという情報が通信管理装置１０に保存されることとなる。なお、公開用ＩＤ＿Ｂは、ここでは必須ではない。
【００３２】
さらに、通信管理装置１０は、連絡用ＩＤ＿Ａを利用者Ｂ端末２１に対して通知し（ステップＳ０７−１）、連絡用ＩＤ＿Ｂを利用者Ａ端末２０に対して通知する（ステップＳ０８−１）。なお、このステップＳ０７−１により連絡用ＩＤ＿Ａを利用者Ｂ端末２１に対して通知する、または、このステップＳ０８−１により連絡用ＩＤ＿Ｂを利用者Ａ端末２０に対して通知することは必須ではない。
【００３３】
次に、利用者Ｂが使用する利用者Ｂ端末２１は、実ＩＤ＿Ｂと連絡用ＩＤ＿Ａを用いて、通信管理装置１０に通信の要求をする（ステップＳ０９−１）。利用者Ａ端末２０との通信開始の要求を実ＩＤ＿Ｂから通信管理装置１０から受け取った連絡用ＩＤ＿Ａに発信することで行う。なお、上記のステップＳ０７−１において連絡用ＩＤ＿Ａを利用者Ｂ端末２１に対して通知しない場合については後述する。
【００３４】
通信管理装置１０は、利用者Ｂ端末２１から受け取った実ＩＤ＿Ｂと連絡用ＩＤ＿Ａを、上記の利用者管理テーブルおよび連絡用ＩＤ管理テーブルを参照して、連絡用ＩＤ＿Ｂと、実ＩＤ＿Ａに変換して、利用者Ａ端末２０に通知する。すなわち、利用者Ａ端末２０の実ＩＤ＿Ａに連絡用ＩＤ＿Ｂで着信させる（ステップＳ１０−１）。なお、連絡用ＩＤ管理テーブルは、アプリケーション側で利用者Ａ端末２０の実ＩＤ＿Ａを受け取った場合には、左から３列目の欄を参照し、また、利用者Ｂ端末２１の実ＩＤ＿Ｂを受け取った場合には、左から４列目の欄を参照するなどの制御により参照・検索されてもよい。
【００３５】
逆に利用者Ａが利用者Ｂに連絡したい場合、利用者Ａが使用する利用者Ａ端末２０は、実ＩＤ＿Ａと連絡用ＩＤ＿Ｂを用いて、通信管理装置１０に通信の要求をする（ステップＳ１１−１）。利用者Ｂ端末２１との通信開始の要求を実ＩＤ＿Ａから通信管理装置１０から受け取った連絡用ＩＤ＿Ｂに発信することで行う。なお、連絡用ＩＤ＿Ｂは、通信管理装置１０から受け取ったものに限らず、上記のステップＳ０８−１により連絡用ＩＤ＿Ｂを利用者Ａ端末２０に対して通知することは必須ではないとの説明に対応して、連絡用ＩＤ＿Ｂは上記のステップＳ１０−１における着信により取得したものであってもよい。
【００３６】
通信管理装置１０は、利用者Ａ端末２０から受け取った実ＩＤ＿Ａと連絡用ＩＤ＿Ｂを、上記の利用者管理テーブルおよび連絡用ＩＤ管理テーブルを参照して、連絡用ＩＤ＿Ａと、実ＩＤ＿Ｂに変換して、利用者Ｂ端末２１に通知する。すなわち、利用者Ｂ端末２１の実ＩＤ＿Ｂに連絡用ＩＤ＿Ａで着信させる（ステップＳ１２−１）。
【００３７】
最後に、上記のステップＳ０７−１において連絡用ＩＤ＿Ａを利用者Ｂ端末２１に対して通知しない場合について説明する。上記のステップＳ１２−１における着信により取得した連絡用ＩＤ＿Ａを用いることにより上記のステップＳ０９−１以降の処理が可能となる。
【００３８】
上記の本実施の形態によれば、利用者Ａが使用する利用者Ａ端末２０と利用者Ｂが使用する利用者Ｂ端末２１は、匿名で通信できる。
【００３９】
また、利用者Ａに通信できるのは、通信管理装置１０に自分の実ＩＤを公開し、利用者Ａとの紐付けが完了して連絡用ＩＤ管理テーブル対応付けがなされたものだけとなるので、公開用ＩＤを公開してもいたずらなどを防ぐことができる。
【００４０】
また、上述した従来例においては通信相手がいない状態でも一時的情報を割り当てることが可能であるため、無駄に多くの一時的情報を割り当ててしまうリスクがあったが、本発明によれば、通信相手が存在して初めて一時的情報を割り当てるため、これを回避することができる。
【００４１】
さらに、上記の連絡用ＩＤ＿Ａおよび連絡用ＩＤ＿Ｂは同一のものであってもよい。この場合、発信側の実ＩＤではないほうの実ＩＤが着信先となる。連絡用ＩＤとして同一のものを用いることとすれば異なるものを用いるよりも設計上の複雑性が緩和され労力、コストなどの面で有利となる。
【００４２】
次に、本発明の第２の実施の形態について図面を参照して詳細に説明する。
【００４３】
図５を参照すると、本実施の形態における通信システムは、通信管理装置１０と、利用者Ａ端末２０と、利用者Ｂ端末２１と、電話ネットワーク３０から構成されている。上記の第１の実施の形態とは電話ネットワーク３０が構成に追加された点が異なるが、その他の構成は基本的に同様であり、重複する説明は省略する。
【００４４】
本実施の形態は、通信管理装置１０がＩＤの発行、管理だけを行い、転送は別の仕組みで実行されるものである。この別の仕組みとしてここでは、一例として、実ＩＤ、連絡用ＩＤが電話番号であり、電話ネットワーク３０が通信管理装置１０から（実ＩＤ＿Ａ、連絡用ＩＤ＿Ａ、実ＩＤ＿Ｂ、連絡用ＩＤ＿Ｂ）の情報をもらって転送する場合について説明する。なお、ファクシミリ通信についても同様に適用可能である。
【００４５】
図６を参照すると、本実施の形態の動作は、ステップＳ０１−２〜０８−２までは、実ＩＤ、連絡用ＩＤが電話番号である点を除き、上記の第１の実施の形態と同様であるので重複する説明は省略する。
【００４６】
ステップＳ９−２において、利用者Ｂが使用する利用者Ｂ端末２１は、実ＩＤ＿Ｂと連絡用ＩＤ＿Ａを用いて、電話ネットワーク３０に通信の要求をする（ステップＳ０９−２）。利用者Ａ端末２０との通信開始の要求を実ＩＤ＿Ｂから通信管理装置１０から受け取った連絡用ＩＤ＿Ａに発信することで行う。
【００４７】
電話ネットワーク３０は、利用者Ｂ端末２１から受け取った実ＩＤ＿Ｂと連絡用ＩＤ＿Ａを用いて、通信管理装置１０に問合わせを行う（ステップＳ１０−２）。
【００４８】
通信管理装置１０は、電話ネットワーク３０から受け取った実ＩＤ＿Ｂと連絡用ＩＤ＿Ａを、上記の利用者管理テーブルおよび連絡用ＩＤ管理テーブルを参照して、連絡用ＩＤ＿Ｂと、実ＩＤ＿Ａに変換して、電話ネットワーク３０に返信する（ステップＳ１１−２）。
【００４９】
電話ネットワーク３０は、通信管理装置１０から受信した、連絡用ＩＤ＿Ｂと、実ＩＤ＿Ａを用いて、利用者Ａ端末２０の実ＩＤ＿Ａに連絡用ＩＤ＿Ｂで着信させる（ステップＳ１２−２）。
【００５０】
なお、逆に利用者Ａが利用者Ｂに連絡したい場合、利用者Ａが使用する利用者Ａ端末２０は、実ＩＤ＿Ａと連絡用ＩＤ＿Ｂを用いて、通信管理装置１０に通信の要求をする際の動作は上記の第１の実施の形態および本実施の形態における上記のステップＳ０１−２〜１２−２を適用することで実現できる。また、連絡用ＩＤ＿Ｂは、通信管理装置１０から受け取ったものに限らず、ステップＳ０８−２により連絡用ＩＤ＿Ｂを利用者Ａ端末２０に対して通知しない場合は、連絡用ＩＤ＿Ｂは上記のステップＳ１２−２における着信により取得したものであってもよい。
【００５１】
また、ステップＳ０７−２において連絡用ＩＤ＿Ａを利用者Ｂ端末２１に対して通知しない場合の動作は、上記の第１の実施の形態および本実施の形態における上記のステップＳ０１−２〜１２−２を適用することで実現できる。
【００５２】
さらに、上記の連絡用ＩＤ＿Ａおよび連絡用ＩＤ＿Ｂは同一のものであってもよいことも上記の第１の実施の形態と同様である。
【００５３】
次に、本発明の第３の実施の形態について図面を参照して詳細に説明する。
【００５４】
図７を参照すると、本実施の形態における通信システムは、通信管理装置１０と、利用者Ａ端末２０と、利用者Ｂ端末２１と、利用者Ａメールサーバ４０と、利用者Ｂメールサーバ４１から構成されている。上記の第１の実施の形態とは利用者Ａメールサーバ４０および利用者Ｂメールサーバ４１が構成に追加された点が異なるが、その他の構成は基本的に同様であり、重複する説明は省略する。
【００５５】
本実施の形態は、実ＩＤ、連絡用ＩＤが電子メールアドレスであり、通信管理装置１０がメールサーバの機能を持っている。この場合、連絡用ＩＤのあて先のドメイン名は通信管理装置１０としておき、通信管理装置１０は、電子メールのＦｒｏｍアドレス、Ｔｏアドレスを、連絡用ＩＤから実ＩＤ、実ＩＤから連絡用ＩＤに変換して、あて先実ＩＤのドメインのメールサーバに転送する。
【００５６】
図８を参照すると、本実施の形態の動作は、ステップＳ０１−３〜０８−３までは、実ＩＤ、連絡用ＩＤが電子メールアドレスである点を除き、上記の第１の実施の形態と同様であるので重複する説明は省略する。
【００５７】
ステップＳ０９−３において、利用者Ｂが使用する利用者Ｂ端末２１は、Ｆｒｏｍアドレスに実ＩＤ＿Ｂを用い、また、Ｔｏアドレスに連絡用ＩＤ＿Ａを用いて、利用者Ｂメールサーバ４１に電子メールを送信する（ステップＳ０９−３）。
【００５８】
利用者Ｂメールサーバ４１は、Ｆｒｏｍアドレスに実ＩＤ＿Ｂを用い、また、Ｔｏアドレスに連絡用ＩＤ＿Ａを用いて、通信管理装置１０に電子メールを送信する（ステップＳ１０−３）。
【００５９】
通信管理装置１０は、利用者Ｂメールサーバ４１から受け取ったＦｒｏｍアドレスの実ＩＤ＿ＢとＴｏアドレスの連絡用ＩＤ＿Ａを、上記の利用者管理テーブルおよび連絡用ＩＤ管理テーブルを参照して、Ｆｒｏｍアドレスとしての連絡用ＩＤ＿Ｂと、Ｔｏアドレスとしての実ＩＤ＿Ａに変換し（ステップＳ１１−３）、利用者Ａメールサーバ４０に転送する（ステップＳ１２−３）。
【００６０】
利用者Ａメールサーバ４０は、通信管理装置１０から受信した、Ｆｒｏｍアドレスの連絡用ＩＤ＿Ｂと、Ｔｏアドレスの実ＩＤ＿Ａを用いて、利用者Ａ端末２０の実ＩＤ＿Ａに連絡用ＩＤ＿Ｂで受信させる（ステップＳ１３−３）。
【００６１】
なお、逆に利用者Ａが利用者Ｂに連絡したい場合、利用者Ａが使用する利用者Ａ端末２０は、Ｆｒｏｍアドレス実ＩＤ＿ＡとＴｏアドレスの連絡用ＩＤ＿Ｂを用いて、利用者Ａメールサーバ４０および通信管理装置１０に通信の要求をする際の動作は上記の第１の実施の形態および本実施の形態における上記のステップＳ０１−３〜１３−３を適用することで実現できる。また、Ｆｒｏｍアドレスとしての連絡用ＩＤ＿Ｂは、通信管理装置１０から受け取ったものに限らず、ステップＳ０８−３により連絡用ＩＤ＿Ｂを利用者Ａ端末２０に対して通知しない場合は、連絡用ＩＤ＿Ｂは上記のステップＳ１３における受信により取得したものであってもよい。
【００６２】
また、ステップＳ０７−３において連絡用ＩＤ＿Ａを利用者Ｂ端末２１に対して通知しない場合の動作は、上記の第１の実施の形態および本実施の形態における上記のステップＳ０１−３〜１３−３を適用することで実現できる。
【００６３】
さらに、上記の連絡用ＩＤ＿Ａおよび連絡用ＩＤ＿Ｂは同一のものであってもよいことも上記の第１の実施の形態と同様である。
【００６４】
次に、本発明のその他の実施の形態について説明する。本発明は、例えば、実ＩＤを住所とする郵送あるいは宅配サービスなどにも適用可能である。宅配サービス会社が利用する情報処理装置から送り主の住所欄に仮の住所である連絡用ＩＤが出力・印字された送り状を印刷することで本来の送り主の住所を秘匿した郵送あるいは宅配サービスが可能となる。また、送り状以外に、送り主の住所欄に仮の住所である連絡用ＩＤが書込み・登録された電子タグを利用することで本来の送り主の住所を秘匿した郵送あるいは宅配サービスが可能となる。さらに、本発明は、例えば、転職活動におけるヘッドハンティングなどに適用することで、個人名や会社名を秘匿したリクルート活動が可能となる。
【００６５】
なお、上述する各実施の形態は、本発明の好適な実施の形態であり、本発明の要旨を逸脱しない範囲内において種々変更実施が可能である。例えば、通信管理装置１０、利用者Ａ端末２０、利用者Ｂ端末２１、電話ネットワーク３０、利用者Ａメールサーバ４０および利用者Ｂメールサーバ４１の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００６６】
上述する各実施の形態は、通信管理装置１０、利用者Ａ端末２０、利用者Ｂ端末２１、電話ネットワーク３０、利用者Ａメールサーバ４０および利用者Ｂメールサーバ４１が１つの通信システムとして実現されている構成について説明したが、各装置が別個に接続されている構成や機能毎に複数の装置などが追加された構成にも適用可能であることはもちろんである。
【図面の簡単な説明】
【００６７】
【図１】本発明の第１の実施の形態における通信システムの構成を示す図である。
【図２】本発明の第１の実施の形態における処理動作を示すシーケンス図である。
【図３】本発明の第１の実施の形態における利用者管理テーブルの構造を示す図である。
【図４】本発明の第１の実施の形態における連絡用ＩＤ管理テーブルの構造を示す図である。
【図５】本発明の第２の実施の形態における通信システムの構成を示す図である。
【図６】本発明の第２の実施の形態における処理動作を示すシーケンス図である。
【図７】本発明の第３の実施の形態における通信システムの構成を示す図である。
【図８】本発明の第３の実施の形態における処理動作を示すシーケンス図である。
【符号の説明】
【００６８】
１０    通信管理装置
２０    利用者Ａ端末
２１    利用者Ｂ端末
【図１】
2008028847.tif 000003
【図２】
2008028847.tif 000004
【図３】
2008028847.tif 000005
【図４】
2008028847.tif 000006
【図５】
2008028847.tif 000007
【図６】
2008028847.tif 000008
【図７】
2008028847.tif 000009
【図８】
2008028847.tif 000010